(57)【特許請求の範囲】
【請求項１】
二重床部材の上面から上方に突出するレール部材の開口部を覆う被覆部と、
前記二重床部材の上面と前記レール部材との間の段差を埋める傾斜部とを有する
ことを特徴とするカバー部材。
【請求項２】
前記被覆部は、
平坦な上面を有する上板部と、
前記上板部の下面から、前記レール部材のレール内に挿入するように突出して形成された突出部を有する
ことを特徴とする請求項１に記載のカバー部材。
【請求項３】
前記突出部は、前記上板部の外周辺部よりも奥側の位置に形成された
ことを特徴とする請求項２に記載のカバー部材。
【請求項４】
前記被覆部及び前記傾斜部には、それぞれの上面を形成する上板部から下方に突出する補強リブが形成された
ことを特徴とする請求項１から３のいずれかに記載のカバー部材。
【発明の詳細な説明】
【技術分野】
【０００１】
本発明は、データセンター等の部屋の床部に敷設されるフロアパネル、架台等の二重床部材に固定されたレール部材に用いられるカバー部材に関するものである。
【背景技術】
【０００２】
近年、高度情報化社会の到来に伴ってサーバー等のＩＴ機器で多量のデータが取り扱われるようになり、多数のＩＴ機器をデータセンター、サーバールーム等に設置して一括管理することが多くなっている。
【０００３】
図１２〜図１４は、従来技術に係るデータセンター１を説明するために示す図である。図１２に示すように、データセンター１の部屋の床部には、二重床構造を備えたフリーアクセスフロア１２が形成され、複数のフロアパネル３がフリーアクセスフロア１２の床面を形成するように敷設されていた（例えば、特許文献１参照）。
【０００４】
図１２に示すように、フロアパネル３は、コンクリートの基礎床面５上に固定された支持脚８により所定の高さで水平に支持されて、データセンター１の部屋の床面を形成するように並べて敷設されていた。そして、フロアパネル３と、その下方の基礎床面５との間の空間に配管や配線を通すことができるようになっていた。
【０００５】
また、フロアパネル３の上面３ａには、脚部１０ａを有するサーバーラック１０が載置され、図１４に示すように、サーバーラック１０の底板部１０ｂには、その板厚方向（図１４中上下方向）に貫通する貫通孔１０ｃが形成されていた。
【０００６】
また、図１３に示すように、フロアパネル３の上面３ａには、その長さ方向に垂直な断面形状がＣ字型（図１４参照）のレール部材４が固定されていた。そして、レール部材４のレール内には、図１４に示すように、レール部材４の長さ方向に沿って移動できるように形成されたスライド部材７が配置されていた。
【０００７】
また、スライド部材７は、図１４中上方に引張られた場合に、レール部材４の上方に開口する開口部を通って、レール部材４内から上方に抜け出すことがないように形成されていた。
【０００８】
そして、図１４に示すように、固定ボルト６の頭部６ａの下面が、サーバーラック１０の底板部１０ｂの上面に接触して係合すると共に、固定ボルト６のオネジ部６ｂの先端部が、サーバーラック１０の貫通孔１０ｃ、及びレール部材４の開口部を挿通して、スライド部材７に形成されたメネジ孔７ａにネジ締結していた。
【０００９】
このように、固定ボルト６の頭部６ａの下面が、サーバーラック１０の底板部１０ｂの上面に係合すると共に、固定ボルト６のオネジ部６ｂが、レール部材４内から上方に抜け出さないように設けられたスライド部材７にネジ締結されていたため、サーバーラック１０は、フロアパネル３の上面３ａから上方に浮き上がって転倒することがないように、固定ボルト６を介してフロアパネル３に連結されていた。
【００１０】
また、フロアパネル３に連結するサーバーラック１０の貫通孔１０ｃに対して、スライド部材７の水平方向の位置が一致していない場合には、スライド部材７をレール部材４の長さ方向に沿って移動させることにより、サーバーラック１０の貫通孔１０ｃの位置に、スライド部材７の位置を合わせることができるようになっていた。
【先行技術文献】
【特許文献】
【００１１】
【特許文献１】特開２０１１−０６９５４２号公報
【発明の概要】
【発明が解決しようとする課題】
【００１２】
しかしながら、図１３に示すように、フロアパネル３の上面３ａに固定されたレール部材４は、フロアパネル３の上面３ａから上方に突出しているため、データセンター１内にサーバーラック１０等の機器を搬入する際に、レール部材４とフロアパネル３の上面３ａとの間に生じる段差が障害になるという問題があった。
【００１３】
例えば、キャスター付きのサーバーラック１０を、データセンター１内に搬入する際には、キャスターが、レール部材４とフロアパネル３の上面３ａとの間の段差に引っ掛かってしまい、サーバーラック１０をスムーズに搬入することができなかった。
【００１４】
また、例えば、サーバーラック１０を台車に載せて、データセンター１内に搬入する際にも、台車の車輪が、レール部材４とフロアパネル３の上面３ａとの間の段差に引っ掛かってしまい、サーバーラック１０をスムーズに搬入することができなかった。
【００１５】
また、レール部材４には、上方に開口する開口部が形成されているため、例えば、キャスター付きのサーバーラック１０がレール部材４を乗り越える際に、キャスターがレール部材４の開口部に嵌ってしまい、サーバーラック１０をスムーズに搬入することができないという問題があった。
【００１６】
そこで本発明は、上記問題点に鑑みて、データセンター内に機器を搬入する際に、二重床部材に固定されたレール部材が障害になることを防止するカバー部材を提供することを課題とするものである。
【課題を解決するための手段】
【００１７】
上記課題を解決するために、本発明によるカバー部材は、
二重床部材の上面から上方に突出するレール部材の開口部を覆う被覆部と、
前記二重床部材の上面と前記レール部材との間の段差を埋める傾斜部とを有することを特徴とするものである。
【００１８】
また、本発明によるカバー部材は、
前記被覆部は、
平坦な上面を有する上板部と、
前記上板部の下面から、前記レール部材のレール内に挿入するように突出して形成された突出部を有することを特徴とするものである。
【００１９】
また、本発明によるカバー部材は、
前記突出部は、前記上板部の外周辺部よりも奥側の位置に形成されたことを特徴とするものである。
【００２０】
また、本発明によるカバー部材は、
前記被覆部及び前記傾斜部には、それぞれの上面を形成する上板部から下方に突出する補強リブが形成されたことを特徴とするものである。
【発明の効果】
【００２１】
このような本発明のカバー部材によれば、
二重床部材の上面から上方に突出するレール部材の開口部を覆う被覆部と、
前記二重床部材の上面と前記レール部材との間の段差を埋める傾斜部とを有することにより、
データセンター内に機器を搬入する際に、二重床部材に固定されたレール部材が障害になることを防止することができる。
【図面の簡単な説明】
【００２２】
【図１】本発明の実施の形態に係るカバー部材２０が、フロアパネル３の上面３ａに固定されたレール部材４を覆うように３つ配置された状態を示す斜視図である。
【図２】図１に示すカバー部材２０とフロアパネル３の上面図である。
【図３】図２に示すカバー部材２０とフロアパネル３のＡ−Ａ線矢視断面図である。
【図４】図３のカバー部材２０とフロアパネル３の一部を拡大して示す拡大部分断面図である。
【図５】図１に示すカバー部材２０を上面図側から見た斜視図である。
【図６】図５に示すカバー部材２０の上面図である。
【図７】図６に示すカバー部材２０の正面図である。
【図８】図６に示すカバー部材２０の底面図である。
【図９】図１に示すカバー部材２０を底面図側から見た斜視図である。
【図１０】図６に示すカバー部材のＢ−Ｂ線矢視断面図である。
【図１１】図３に示すようにカバー部材２０がレール部材４を覆った状態から、カバー部材２０を取り外した状態を示す図である。
【図１２】従来技術に係るフロアパネル３が使用されるデータセンター１において、サーバーラック１０がフロアパネル３上に載置された状態を示す概略側面図である。
【図１３】図１２に示すフロアパネル３の斜視図である。
【図１４】図１２に示すフロアパネル３とサーバーラック１０との連結部分を拡大して示す断面図である。
【発明を実施するための形態】
【００２３】
以下、本発明に係るカバー部材を実施するための形態について、図面に基づいて具体的に説明する。
図１から図１１は、本発明の実施の形態に係るカバー部材２０について説明するために参照する図である。
【００２４】
本実施の形態に係るカバー部材２０は、図１、図２に示すように、フロアパネル３（二重床部材）の上面３ａに固定されたレール部材４を上方から覆い被せることができるように形成されている。
【００２５】
カバー部材２０は、樹脂又は鋳物等を用いて一体的に形成されており、図１、２に示すように、レール部材４の開口部を上方から覆うように形成された被覆部２１と、レール部材４と、フロアパネル３の上面３ａとの間の段差を埋めるように形成された傾斜部２２を備えている（図３，４参照）。
【００２６】
被覆部２１は、図５から図７に示すように、略長方形状の平坦な上面を有する上板部２１ａ（図４参照）と、上板部２１ａの３つの辺部（図６中上下方向に伸びる図６中左側の１つの辺部を除く３つの辺部）から略垂直下方向（図７中下側方向）に伸びるように形成された側板部２１ｂを備えている。
【００２７】
図７に示すように、図６中左右方向に伸びる２つの側板部２１ｂには、それぞれ図７中下側に開口すると共に、開口形状が矩形状に形成された２つの切欠部２１ｄが形成されている。
【００２８】
２つの切欠部２１ｄは、レール部材４の側面を形成する側板部４ｂ（図４参照）の外周面、及びレール部材４の上面を形成する上板部４ｃ（図４参照）の外周面に沿うような形状にそれぞれ形成されている（図３参照）。
【００２９】
このように、図２中上下方向に伸びるレール部材４に直交する２つの側板部２１ｂに、レール部材４と嵌り合う切欠部２１ｄが形成されているため、カバー部材２０の下端面がフロアパネル３の上面３ａに接触するように、カバー部材２０をレール部材４に被せることができるようになっている（図３参照）。
【００３０】
また、図７に示すように、側板部２１ｂにおける、２つの切欠部２１ｄの間には、レール部材４の開口部の開口幅と略同じ幅（図７中左右方向の長さ寸法）を有する差込部２１ｃ（突出部）が形成されている（図３参照）。
【００３１】
差込部２１ｃは、図３に示すように、カバー部材２０をレール部材４に被せた際に、レール部材４の開口部を通ってレール内に挿入し、その下端部がレール部材４の底板部４ａ（図４参照）の上面に接触するように形成されている。
【００３２】
差込部２１ｃの図７中上下方向の長さ寸法は、側板部２１ｂの他の部分（差込部２１ｃと切欠部２１ｄが形成されていない部分）の図７中上下方向の長さ寸法よりも、レール部材４の底板部４ａ（図４参照）の高さ分だけ短く形成されている。
【００３３】
このように、差込部２１ｃの図７中上下方向の長さ寸法が、レール部材４の底板部４ａ（図４参照）の高さ分だけ短く形成されることにより、カバー部材２０の下端面がフロアパネル３の上面３ａに接触するように、カバー部材２０をレール部材４に被せることができるようになっている（図３参照）。
【００３４】
また、図８に示すように、差込部２１ｃは、カバー部材２０の外周面を形成する側板部２１ｂよりも図中上下方向において少し奥側に配置されている。すなわち、図中上側の差込部２１ｃは、図中上側の側板部２１ｂよりも、図中少し下側に形成され、図中下側の差込部２１ｃは、図中下側の側板部２１ｂよりも、図中少し上側に形成されている（図９参照）。
【００３５】
このように、差込部２１ｃが、側板部２１ｂよりも図８中上下方向において少し奥側に配置されていることにより、カバー部材２０を上側から取り外す（図１１参照）際に、上板部２１ａの下面における、差込部２１ｃよりも図８中上下方向の外側の部分に、指を引掛けることができるようになっている（図９参照）。
【００３６】
また、被覆部２１は、図８，図９に示すように、上板部２１ａの裏面側に一体的に形成された複数のリブ２１ｅを備えている。リブ２１ｅは、図１０に示すように、上板部２１ａの裏面側から床下方向（図１０中下側方向）に突出すると共に、縦横両方向（図８中上下方向及び左右方向）に長さが伸びるように格子状に形成されている。
【００３７】
被覆部２１は、このような複数のリブ２１ｅが形成されていることにより、その強度が向上し、サーバーラック１０（図１２参照）等の機器の荷重に対して耐えられるようになっている。
【００３８】
ただし、図８に示すように、上板部２１ａの裏面における、図８中左右方向の切欠部２１ｄに対応する位置には、リブ２１ｅは形成されていない（図１０参照）。
【００３９】
このように、レール部材４を切欠部２１ｄに嵌める際に、レール部材４に対して衝突するようなリブ２１ｅは形成されていないため、カバー部材２０の下端面がフロアパネル３の上面３ａに接触するように、カバー部材２０をレール部材４に被せることができるようになっている。
【００４０】
また、図１０に示すように、上板部２１ａの裏面における、図８中左右方向の差込部２１ｃに対応する位置に形成されたリブ２１ｅは、他の位置に形成されたリブ２１ｅよりも、レール部材４の底板部４ａ（図４参照）の高さ分だけ図１０中上下方向の長さ寸法が短くなっている。
【００４１】
このように、レール部材４のレール内に挿入されるリブ２１ｅ（図４参照）の図１０中上下方向の長さ寸法が、他の位置に形成されたリブ２１ｅの図１０中上下方向の長さ寸法よりも、レール部材４の底板部４ａ（図４参照）の高さ分だけ短くなっているため、カバー部材２０の下端面がフロアパネル３の上面３ａに接触するように、カバー部材２０をレール部材４に被せることができるようになっている（図３参照）。
【００４２】
傾斜部２２は、図５から図７に示すように、緩やかに傾斜した長方形状の上面を有する上板部２２ａ（図４参照）と、上板部２２ａの図６中上側と下側の２つの辺部から略垂直下方向に伸びると共に、略三角形状（図７参照）の側面を有する側板部２２ｂを備えている。
【００４３】
図１０に示すように、傾斜部２２の上板部２２ａは、被覆部２１の上板部２１ａの図１０中左端部から、カバー部材２０の高さ分だけ図１０中左斜め下方に緩やかに傾斜するように形成されている。
【００４４】
このように、傾斜部２２は、レール部材４とフロアパネル３の上面３ａとの間の段差を埋めて、緩やかな傾斜面にすることができるように形成されている（図３参照）。
【００４５】
また、傾斜部２２は、図８，図９に示すように、上板部２２ａの裏面側に一体的に形成された複数のリブ２２ｅを備えている。リブ２２ｅは、上板部２２ａの裏面側から床下方向（図１０中下側方向）に突出すると共に、縦横両方向（図８中上下方向及び左右方向）に長さが伸びるように格子状に形成されている。
【００４６】
傾斜部２２は、このような複数のリブ２２ｅが形成されていることにより、その強度が向上し、サーバーラック１０（図１２参照）等の機器の荷重に対して耐えられるようになっている。
【００４７】
ここで、本実施の形態に係るカバー部材２０が使用されるフロアパネル３について説明する。フロアパネル３は、図４に示すように、パネル本体部１６と、その上面に貼り付けられたタイル１７と、タイル１７の上面に固定されたレール部材４を備えて構成されている。
【００４８】
パネル本体部１６は、その材質にアルミニウム合金を用いたダイカスト製品であって、その上面を形成する平板部１６ａと、この平板部１６ａの裏面側に一体的に形成された複数のリブ１６ｂを備えて構成されている（図４参照）。
【００４９】
パネル本体部１６の複数のリブ１６ｂのそれぞれは、平板部１６ａの裏面側から床下方向（図４中下側方向）に突出すると共に、平板部１６ａの水平面に沿って縦横両方向に長さが伸びるように格子状に形成されている。パネル本体部１６は、このような複数のリブ１６ｂが形成されていることにより、その強度が向上するようになっている。
【００５０】
また、パネル本体部１６の平板部１６ａの上面側には、塩化ビニル系のＰタイルや、ＨＰＬ（ハイプレッシャーラミネート）タイル等のタイル１７が貼り付けられている。
【００５１】
レール部材４は、その材質に鋼材等、例えばアルミ押出材を用いて、その長さ方向に垂直な断面形状がＣ字型（図４参照）になるように形成されており、Ｃ字型の開口部が上方（同図中上側）に向く状態（Ｃ字を反時計回り方向に９０度回転させたような状態）で、タイル１７の上面に固定されている。
【００５２】
図４に示すように、レール部材４における、その開口部と反対側の底板部４ａには、その板厚方向に貫通すると共に、その開口面積が図４中下側に向かうに従って小さくなるように、その内周面が傾斜して形成された貫通孔４ｄが、レール部材４の長さ方向（図２中上下方向）に所定の間隔を空けて複数形成されている。
【００５３】
そして、底板部４ａの貫通孔４ｄには、図４に示すように、皿ボルト１９のオネジ部１９ｂが挿通すると共に、皿ボルト１９の頭部１９ａは、その上面が底板部４ａの上面より上方に突出しないように、底板部４ａの貫通孔４ｄ内に収納されている。
【００５４】
また、図３に示すように、パネル本体部１６の複数のリブ１６ｂの内、平板部１６ａの裏面側から床下方向（図３中下側方向）に突出する長さ寸法が最も大きいリブ１６ｂの先端部に、その長さ方向に垂直な断面形状が逆Ｕ字状の板部材１５が、その開口部と反対側の上側板部１５ａ（図４参照）が接触するように配置されている。
【００５５】
板部材１５は、その長さ方向に垂直な断面形状が逆Ｕ字状（図４参照）に形成されているため、平板状に形成されている場合に比べて、上側板部１５ａが上方に引張られた場合の強度が向上されている。
【００５６】
また、板部材１５は、レール部材４と略同じ長さ寸法を有するように形成されると共に、レール部材４の鉛直方向下側（図４参照）において、レール部材４の長さ方向（図２中上下方向）に沿うように配置されている。
【００５７】
また、板部材１５の上側板部１５ａには、図４に示すように、レール部材４の底板部４ａの貫通孔４ｄに対応する位置に、その板厚方向（図中上下方向）に貫通するメネジ孔１５ｂが形成されている。
【００５８】
また、パネル本体部１６の平板部１６ａ、及びタイル１７には、レール部材４の底板部４ａの貫通孔４ｄに連通するような貫通孔がそれぞれ形成されている。そして、図４に示すように、レール部材４の底板部４ａの貫通孔４ｄと、平板部１６ａ及びタイル１７のそれぞれの貫通孔を挿通して、図中下方に突出している皿ボルト１９のオネジ部１９ｂの先端部が、板部材１５のメネジ孔１５ｂにネジ締結されている。
【００５９】
したがって、レール部材４が上方に浮き上がろうとした場合には、レール部材４の底板部４ａの貫通孔４ｄの傾斜した内周面が、皿ボルト１９の頭部１９ａの下面に係合すると共に、皿ボルト１９のオネジ部１９ｂの先端部にネジ締結された板部材１５の上側板部１５ａの上面が、パネル本体部１６のリブ１６ｂの下面に係合するようになっている。このため、レール部材４は、上方に浮き上がることがないようにパネル本体部１６に固定されている。
【００６０】
以上より、カバー部材２０の被覆部２１の上板部２１ａが、レール部材４の上方に開口する開口部を覆っている（図３，４参照）ため、データセンター１内にサーバーラック１０（図１２参照）を搬入する際に、サーバーラック１０のキャスターや、サーバーラック１０を運ぶ台車の車輪が、レール部材４の開口部に嵌ってガタつくことを防止することができる。
【００６１】
また、カバー部材２０の傾斜部２２が、レール部材４と、フロアパネル３の上面３ａとの間の段差を埋めて傾斜面にしている（図３，４参照）ため、データセンター１内にサーバーラック１０（図１２参照）を搬入する際に、サーバーラック１０のキャスターや、サーバーラック１０を運ぶ台車の車輪がスムーズにレール部材４を乗り越えることができる。
【００６２】
また、図２に示すように、図中左右方向に隣り合う２つのカバー部材２０は、それぞれの被覆部２１が互いに接触して、連続した上面を形成するように配置されている。このため、サーバーラック１０のキャスターや、サーバーラック１０を運ぶ台車の車輪がスムーズに２本のレール部材４の間を通過することができるようになっている。
【００６３】
したがって、本実施の形態に係るカバー部材２０を用いれば、データセンター１内に機器を搬入する際に、フロアパネル３に固定されたレール部材４が障害になることを防止することができる。
【００６４】
レール部材４を使用する際には、図１１に示すように、カバー部材２０をレール部材４から取り外してから、図１４に示すように、スライド部材７をレール部材４のレール内に配置して、前述のように、サーバーラック１０とフロアパネル３を、固定ボルト６を介して連結している。
【００６５】
なお、本発明は、前記実施の形態にのみ限定されるものではなく、本発明の目的を達成することができる範囲内であれば、カバー部材の種々の変更が可能である。
【００６６】
例えば、前記実施の形態に係るカバー部材２０において、図７に示すように、被覆部２１の側板部２１ｂに差込部２１ｃが形成されていたが、レール部材４の開口部が上板部２１ａ（図４参照）により覆われていれば、差込部２１ｃが形成されていなくてもよい。
【００６７】
また、前記実施の形態に係るカバー部材２０において、図１０に示すように、被覆部２１の上板部２１ａの裏面側にリブ２１ｅが形成され、傾斜部２２の上板部２２ａの裏面側にリブ２２ｅが形成されていたが、リブ２１ｅ，２２ｅが形成されていなくてもよい。
【００６８】
また、前記実施の形態に係るカバー部材２０は、図１に示すように、フロアパネル３に固定されたレール部材４の開口部を覆うと共に、レール部材４と、フロアパネル３の上面３ａとの間の段差を埋めるために用いられていたが、フロアパネル３に限定される必要はない。
【００６９】
したがって、カバー部材２０が、架台（二重床部材）に固定されたレール部材４の開口部を覆うと共に、レール部材４と、架台の上面との間の段差を埋めるために用いられていてもよい。
【符号の説明】
【００７０】
１  データセンター
３  フロアパネル
３ａ  上面
４  レール部材
４ａ  底板部
４ｂ  側板部
４ｃ  上板部
４ｄ  貫通孔
５  基礎床面
６  固定ボルト
６ａ  頭部
６ｂ  オネジ部
７  スライド部材
７ａ  メネジ孔
８  支持脚
１０  サーバーラック
１０ａ  脚部
１０ｂ  底板部
１０ｃ  貫通孔
１２  フリーアクセスフロア
１５  板部材
１５ａ  上側板部
１５ｂ  メネジ孔
１６  パネル本体部
１６ａ  平板部
１６ｂ  リブ
１７  タイル
１９  皿ボルト
１９ａ  頭部
１９ｂ  オネジ部
２０  カバー部材
２１  被覆部
２１ａ  上板部
２１ｂ  側板部
２１ｃ  差込部
２１ｄ  切欠部
２１ｅ  リブ
２２  傾斜部
２２ａ  上板部
２２ｂ  側板部
２２ｅ  リブ
【図１】
0006636292.tif 000002
【図２】
0006636292.tif 000003
【図３】
0006636292.tif 000004
【図４】
0006636292.tif 000005
【図５】
0006636292.tif 000006
【図６】
0006636292.tif 000007
【図７】
0006636292.tif 000008
【図８】
0006636292.tif 000009
【図９】
0006636292.tif 000010
【図１０】
0006636292.tif 000011
【図１１】
0006636292.tif 000012
【図１２】
0006636292.tif 000013
【図１３】
0006636292.tif 000014
【図１４】
0006636292.tif 000015